(57)【特許請求の範囲】
【請求項１】
おむつの尻部に開口部を設ける第一工程、おむつの該開口部の内側と外側から内外両面をシート状物でふさぐ第二工程、該開口部の中心に該開口部より小径の開口部を再度設ける第三工程、再度設けた開口部の周辺に止めテープを設ける第四工程からなるペット用おむつの製造方法。
【請求項２】
第三工程、第四工程に替えて該開口部の中心にスリットを設ける工程、該スリットの周辺に止めテープを設ける工程からなる請求項１記載のペット用おむつの製造方法。
【請求項３】
第四工程に替えて再度設けた開口部の周縁にスリットを入れる工程、該スリットの周辺に止めテープを設ける工程からなる請求項１記載のペット用おむつの製造方法。
【発明の詳細な説明】
【０００１】
【発明が属する技術分野】
本発明は、老衰や事故による寝たきりのペット、特に犬、猫等の尻尾を有するペットの糞尿処理や生理による汚れを防ぐためのペット用おむつに関する。
【０００２】
【従来の技術】
従来のペット用おむつは、一般にいうパンツと同じで二本の後ろ足の足先からはかせる方式であって、着脱させるのがかなり面倒な上に、尻尾を出す穴もなく、またペットの頻繁な動きによってはずれやすいという問題がある。そのため、室内の汚れ防止に関してはあまり役に立たないのが現状である。
【０００３】
最近、上記従来のものを改良して、着脱を簡単したペット用おむつが公開された（実開平５−８２２５９号公報）。このＴ字型おむつは、ペットを立たせたままの自然な格好で着脱することができ、尻尾の出せる穴があけてあり、従来のパンツ方式に比べるとかなり改良されている。
【０００４】
しかしこのペット用おむつは、キルテイング生地やフエルト等の柔らかな布からなり、汚れ防止のため、おむつの内部にテイッシュペーパーを折りたたんで入れる方式であって、端縁部が伸縮性ではないため漏れを防止するには必ずしも十分ではなく、且つ尻尾を穴に通すのは取り替えるたびに多少の面倒がいる等の問題がある。
【０００５】
【発明が解決しようとする課題】
本発明は、上記した問題を解決するためになされたものであって、その目的とするところは、漏れを完全に防止するとともに、動きやすくてはずれにくく、且つ尻尾を穴に簡単に通しやすく工夫された、着脱容易なペット用おむつを提供することにある。
【０００６】
また、他の目的はおむつの材料であるポリマー、不職布、防臭剤、粉砕パルプ等の内容物が漏れるのを防ぐことができるおむつ及び簡単に当該おむつを製造できる製造方法を提供することにある。
【０００７】
また、他の目的は、量産性と多様性を要求を満たし、それぞれのペットに対応したおむつを安価かつ大量に生産する製造方法を提供することにある。
【０００８】
【課題を解決するための手段】
かかる目的を達成するために本発明のペット用おむつの製造方法は、おむつの尻部に開口部を設ける第一工程、おむつの該開口部の内側と外側から内外両面をシート状物でふさぐ第二工程、該開口部の中心に該開口部より小径の開口部を再度設ける第三工程、再度設けた開口部の周辺に止めテープを設ける第四工程からなることを特徴とする。
【０００９】
また、本発明の製造方法は、おむつの尻部に開口部を設ける第一工程、おむつの該開口部の内側と外側から内外両面をシート状物でふさぐ第二工程を上記の場合と同様に行った後、該開口部の中心にスリットを設ける工程、該スリットの周辺に止めテープを設ける工程からなることを特徴とする。
【００１０】
また、本発明の製造方法は、おむつの尻部に開口部を設ける第一工程、おむつの該開口部の内側と外側から内外両面をシート状物でふさぐ第二工程、該開口部の中心に該開口部より小径の開口部を再度設ける第三工程を行った後、再度設けた開口部の周縁にスリットを入れる工程、該スリットの周辺に止めテープを設ける工程からなることを特徴とする。
【００１１】
【発明の実施の形態】
以下、本発明によるペット用おむつの具体的な実施形態に基づいて説明する。図１は本発明の尻尾穴を設けたペット用おむつの展開図、図２は尻尾穴に替えてスリットを設けた場合の部分展開図、図３は尻尾穴の周縁にスリットを１つ設けた場合の部分展開図、図４は尻尾穴の周縁にスリットを多数設けた場合の部分展開図、図５は尻尾穴を設けたペット用おむつの部分裏面図、図６は星型尻尾穴を設けたペット用おむつの部分展開図である。図１乃至図６においてペット用おむつは、吸収性材料１、粘着テープ４，５，８、シート状物１３、開口部１１とを備え、図１と図３乃至図６は尻尾穴６、図２はスリット１０と、図３、図４は尻尾穴６、周縁スリット１２を備えている。
【００１２】
図１乃至図６のペット用おむつは、縁が伸縮可能で外側が薄いポリエチレンフィルムで覆われた  I字型の柔らかい吸水性材料１からなり、一端の両側にペットの腰部に巻くことができる着脱用粘着テープ４が取り付けられ、伸縮テープ７で縁取りした他端の内方の中央部に尻尾穴６又はスリット１０が設けられ、該他端の両側には前記の着脱用粘着テープ４と連結する粘着テープ５が取り付けられている。尚、縁取りは伸縮テープ７以外の伸縮性を有しないものでもよい。
【００１３】
吸水性材料１は、特に限定しないが吸水性を有する紙と不織布とからなるものが好適であり、また、おむつの材料には必要に応じてポリマー、不織布、防臭剤、粉砕パルプ等が使用される。図示していないが人用おむつのようにゴム紐３の内側を折り返して袋状の構成にしてもよい。さらにその紙と不織布には下側端縁部の横方向に伸縮テープ２が、また両脇の縦方向に細いゴム紐３がそれぞれ内封されていて、おむつ全体が縦横両方向に適度な伸縮性を持つように構成されている。縦方向の両側は使用しない状態では縮んでひだ９になっている。したがって、ペットの背中でサイズ調整ができ、よりフィットさせやすいので、汚物の漏れを完全に防止することができ着脱も簡単である。
【００１４】
使用時には、ペットの腰部にまわすための長い着脱用テープ４が取り付けられた一方の端を腹側に当て、他方の尻尾穴６又はスリット１０の設けられた端を背中側にまわし尻尾を尻尾穴６又はスリット１０に通した後、粘着テープ８で止め、下側に当てた長い方の粘着テープ４を背中にまわしてペットの腰部にフィットさせサイズを調整した後、他端の粘着テープ５に連結すればよい。
【００１５】
図１のペット用おむつは尻尾穴６を設けたものであり、尻尾穴６に尻尾を通した後粘着テープ８で閉じるようになっている。その製造方法は以下の通りである。まず、第一の工程ではおむつの尻部でペットの尻尾に当たる部分に打ち抜き加工で開口部を設ける。開口部は図１乃至図６の１１に示す。おむつに開口部１１をあらかじめ開けておくことによって、その後の工程を替えるだけで図１の円形、図２のスリット、図６の星型などのような様々な尻尾穴６又はスリット１０を有するおむつを同時に製造することが可能となり、量産性と多様性の要求を同時に満たす。おむつの尻尾穴６の形状は円形に限定されるものではなく、例えば多角形や図６の様な星型等どのような形状であってもよい。おむつとしては、例えば人用おむつの廃材を利用するとコスト面で有利である。
【００１６】
次に、第二工程でおむつの内外両面を内側と外側から該開口部１１をシート状物１３でふさぐ。ふさぐ材料のシート状物１３としては粘着テープを使用し、該開口部１１及びその周辺部分に内側と外側から内外両面に貼りつける。またシート状物１３の素材としては粘着テープに限定されるものではなく、粘着テープに替えて例えば布や不職布などを貼着するなど、他の素材を使用して該開口部１１をふさいでもよい。
【００１７】
第三工程では粘着テープでふさいだおむつの該開口部１１に該開口部１１より小径の開口部を再度設け尻尾穴６とする。尻尾穴６を設けるときは機械的に打ち抜き加工を施す方法のほか熱加工により行うことも考えられる。このとき、おむつの両面に粘着テープを貼り合わせ、開口部１１より小径の開口部を設ける工程とすることによって、尻尾穴６の周縁は粘着テープが貼り合わさった状態となっており、おむつの材料であるポリマー、不職布、防臭剤、粉砕パルプ等の内容物が漏れるのを防ぐことができる。そして、以上のような第一工程乃至第三工程を採用することにより、ポリマー等の内容物が漏れないペット用おむつを容易かつ大量に製造することが可能となる。表裏両面に粘着テープ等のシート状物１３を貼り付け尻尾穴６を開けた状態の表面と裏面を図１、図５に示す。
【００１８】
最後に第四工程で再度設けた尻尾穴６の周辺に粘着テープ８を設ける。粘着テープ８を使用することでペットの尻尾のサイズによって尻尾穴６の大きさの調節が可能となる。これらの各工程は流れ作業により連続して行うことができる。
【００１９】
図２は尻尾穴の開口部６に代えてスリット１０を設けたおむつであり、尻尾をスリット１０に通した後サイズを調整し、粘着テープ８により閉じることができる。１１はおむつ自体の開口部である。スリット１０を設けたおむつを製造する場合、まず、図１のおむつの第一工程、第二工程と同様の作業を行い、おむつ本体に開口部１１を設け該開口部１１をシート状物１３でふさぐ。
【００２０】
次に、シート状物でふさがれた該開口部１１の中心にスリット１０を設ける工程を行う。この場合は、スリット１０を設けるのみで尻尾穴６に替えるため、粘着テープに再度尻尾穴６を設ける工程は行わない。スリット１０だけを設けることによって、尻尾に対応した微妙なサイズ調整が可能となる。スリット１０は例えばカッターなどで設け、１つであっても複数であってもよい。最後の工程ではスリット１０の周辺に粘着テープ８を設ける。
【００２１】
図３は尻尾穴の開口部に周縁スリット１２を１つ設けたおむつであり、尻尾を周縁スリット１２に通した後サイズを調整し粘着テープ８により閉じる。尻尾穴６の周りに少なくとも一つ周縁スリット１２が施されているため、さらに尻尾を通しやすくなっている。なお、周縁スリット１２の方向は尻尾穴６の周りのいずれの方向でもよく、また、周縁スリット１２の長さは特に限定しないが、通常尻尾穴６の周りに約４〜８cm程度である。
【００２２】
図３のおむつを製造する場合は、図１のおむつを製造する場合の第一工程、第二工程、第三工程と同様な作業を行った後、次の工程でおむつに開口部１１より小径の再度設けた開口部（尻尾穴６）の周縁にスリット１２を入れる。周縁スリット１２はカッターなどで設ける。最後の工程で該周縁スリット１２の周辺に止めテープ８を設ける。
【００２３】
図４は周縁スリット１２を複数設けたものであり、尻尾に合わせたサイズ調整がさらに微妙に行えるようになっている。図４のおむつを製造する場合は、図３のおむつを製造する場合と同様な工程を行い、周縁スリット１２を複数入れる工程を行うことだけが相違する。
【００２４】
【発明の効果】
本発明のペット用おむつは上記の構成であるので、室内に飼われているペット、特に犬、猫等の尻尾を有するペットの老衰や事故による寝たきりの状態での糞尿処理や生理による汚れを防ぐためには最適で、従来のペット用おむつに比べておむつ全体が適度な伸縮性を持ち、ペットの背中でサイズ調整ができ、よりフィットさせやすい。したがって、汚物の漏れが完全に防止され、ペットが動きやすくてはずれにくく、尻尾を穴に簡単に通しやすく工夫された着脱容易なペット用おむつを提供することができる。
【００２５】
また、おむつの材料であるポリマー、不職布、防臭剤、粉砕パルプ等の内容物が漏れるのを防ぐことができるおむつを提供することができ、さらに本件発明の製造方法を採用することにより当該おむつを容易に製造することができるという効果を奏する。
【００２６】
また、量産性と多様性に適応した各工程を流れ作業で行うことによりそれぞれのペットに対応したおむつを安価かつ大量に生産することができるという効果を有する。
【図面の簡単な説明】
【図１】尻尾穴を設けたペット用おむつの展開図
【図２】スリットを設けたペット用おむつの部分展開図
【図３】尻尾穴の周縁にスリットを一つ設けたペット用おむつの部分展開図
【図４】尻尾穴の周縁にスリットを多数設けたペット用おむつの部分展開図
【図５】尻尾穴を設けたペット用おむつの部分裏面図
【図６】星型尻尾穴を設けたペット用おむつの部分展開図
【符号の説明】
１    吸水性材料
４，５，８    粘着テープ
６    尻尾穴
１０    スリット
１１    おむつの開口部
１２    尻尾穴の周縁に設けたスリット
１３    シート状物
【図１】
0003773622.tif 000002
【図２】
0003773622.tif 000003
【図３】
0003773622.tif 000004
【図４】
0003773622.tif 000005
【図５】
0003773622.tif 000006
【図６】
0003773622.tif 000007